(57)【要約】この発明は、外部の利用データに応じて適応する複数の装置ドメインのためのデジタル著作権管理システムおよび方法である。複数の受信装置を含んでいる目標ドメインのドメインサイズ・パラメータが決定される。そのドメインパラメータは、外部データから開発されたドメイン・ベンチマークと比較される。それから、目標ドメインのためのリスク指標が生成され、そのドメイン内の装置を集めることによって、デジタルコンテンツのアクセスおよび利用を制御するためのコンテンツ利用権を生成するために用いられる。このシステムは、目標ドメインからだけでなく、複数の独立したドメインからもドメインパラメータを集めるための複数の情報収集ツールを含んでいてもよい。
2008530637.tif 000002
【特許請求の範囲】
【請求項１】
複数の受信装置を含むドメイン内のデジタルコンテンツへのアクセスまたはそのデジタルコンテンツの利用を制御するためのシステムにおける、目標ドメインのためのリスク指標を決定するための方法であって、
（ａ）上記ドメインに接続された受信装置の量または（ｂ）上記ドメインに接続された装置によって実行されたデータトランザクションの量から選択された少なくとも一つの目標ドメインパラメータを含む、目標ドメインのためのドメイン状態を特徴付けるステップ、
複数の独立した装置ドメインのドメイン状態の集合を表すドメイン・ベンチマークへアクセスするステップ、および、
上記ドメイン・ベンチマークに対する上記ドメイン状態の比較に基づいて上記目標ドメインのためのリスク指標を開発するステップを含み、そのリスク指標は、上記目標ドメイン内のデータのための利用規則を決定するのに用いるために構成されている方法。
【請求項２】
請求項１に記載の方法において、さらに、複数の独立した装置ドメインのドメイン状態に関して集められた情報から上記ドメイン・ベンチマークを決定するステップを含む方法。
【請求項３】
請求項１に記載の方法において、さらに、受信装置の接続または切り離しの際に、ドメイン状態の変化を報告するステップを含む方法。
【請求項４】
請求項１に記載の方法において、上記特徴付けるステップは、さらに、上記ドメインに接続されたコンプライアントな受信装置の量を決定するステップを含み、各コンプライアントな装置は予め定められたプロトコルにしたがって装置状態を報告する動作が可能な報告用モジュールを含む方法。
【請求項５】
請求項１に記載の方法において、上記特徴付けるステップは、さらに、上記ドメインに接続された非コンプライアントな受信装置の量を決定するステップを含み、各非コンプライアントな装置は上記報告用モジュールを欠く方法。
【請求項６】
請求項１に記載の方法において、上記特徴付けるステップは、さらに、予め定められた期間内に発生するトランザクションの量を決定するステップを含む方法。
【請求項７】
請求項６に記載の方法において、上記特徴付けるステップは、さらに、異なったタイプのトランザクションの量を決定するステップを含み、上記トランザクションの上記タイプは、メディアコンテンツを再生し、データを蓄積し、蓄積されたデータへアクセスし、および、下流の装置へデータを送信することの少なくとも一つを含む方法。
【請求項８】
請求項２に記載の方法において、上記決定するステップは、さらに、ドメインの利用における傾向を識別するために、異なった時間に得られた、上記複数の独立した装置ドメインに属する情報を用いるステップを含む方法。
【請求項９】
請求項２に記載の方法において、上記決定するステップは、さらに、少なくとも一つのドメイン群パラメータの統計的尺度を開発するために、上記複数の独立した装置ドメインに属する上記情報を分析するステップを含み、上記少なくとも一つのドメイン群パラメータは上記少なくとも一つの目標ドメインパラメータに対応している方法。
【請求項１０】
請求項１に記載の方法において、上記特徴付けるステップは、さらに、上記ドメインに接続された受信装置の量と、上記ドメインから切り離された装置の量と、上記ドメインに接続された装置によって実行されるデータトランザクションの量とから選択されたタイプの複数の目標ドメインパラメータに基づいて、上記ドメイン状態を特徴付ける方法。
【請求項１１】
請求項１１に記載の方法において、上記特徴付けるステップは、さらに、それぞれ一つの目標ドメインパラメータに対応している複数のドメイン群パラメータの統計的尺度を開発するために、上記複数の独立した装置ドメインに属する上記情報を分析するステップを含む方法。
【請求項１２】
請求項１に記載の方法において、さらに、上記リスク指標に基づいて、上記目標ドメインのための利用規則を開発するステップを含む方法。
【請求項１３】
請求項１２に記載の方法において、上記開発するステップは、さらに、上記ドメインから切り離された装置のために許可された接続の数を保留するステップを含む方法。
【請求項１４】
請求項１３に記載の方法において、さらに、上記保留するステップで保留された許可された接続の数に基づいて、上記ドメインのための残っている許可された接続の数を調整するステップを含む方法。
【請求項１５】
請求項１２に記載の方法において、さらに、切り離された装置のための第２の利用規則を開発するステップを含み、上記第２の利用規則は上記利用規則に関連付けられている方法。
【請求項１６】
請求項１５に記載の方法において、上記第２の利用規則を開発するステップは上記切り離された装置を用いて実行される方法。
【請求項１７】
請求項１５に記載の方法において、上記第２の利用規則を開発するステップは、上記切り離された装置がコンテンツを、上記ドメインから切り離された少なくとも１台の追加の装置に提供することを許可するステップを含む方法。
【請求項１８】
目標ドメイン内のデジタルコンテンツのアクセスおよび利用を制御するためのリスク指標を決定するためのシステムであって、
複数の独立した装置ドメインのドメイン状態に関する情報を表すドメイン・ベンチマークを受け取るように構成されたコントローラと、
上記コントローラと作動可能に関連付けられたメモリとを備え、
上記メモリは、
（ａ）上記ドメインに接続された受信装置の量または（ｂ）上記ドメインに接続された装置によって実行されたデータトランザクションの量から選択された少なくとも一つの目標ドメインパラメータに基づいて、目標ドメインのためのドメイン状態を特徴付け、ドメイン・ベンチマークに対する上記ドメイン状態の比較に基づいて上記目標ドメインのためのリスク指標を開発し、そのリスク指標は、上記目標ドメイン内のデータのための利用規則を決定するのに用いるために構成されているプログラム命令を保持するシステム。
【請求項１９】
請求項１８に記載のシステムにおいて、上記プログラム命令は、さらに、複数の独立した装置ドメインのドメイン状態に関する収集された情報から上記ドメイン・ベンチマークを決定するための命令を含むシステム。
【請求項２０】
請求項１８に記載のシステムにおいて、上記プログラム命令は、さらに、受信装置の接続または切り離しの際に、ドメイン状態の変化を報告するための命令を含むシステム。
【請求項２１】
請求項１８に記載のシステムにおいて、上記特徴付ける命令は、さらに、上記ドメインに接続されたコンプライアントな受信装置の量を決定するための命令を含み、各コンプライアントな装置は予め定められたプロトコルにしたがって装置状態を報告する動作が可能な報告用モジュールを含むシステム。
【請求項２２】
請求項１８に記載のシステムにおいて、上記特徴付ける命令は、さらに、上記ドメインに接続された非コンプライアントな受信装置の量を決定するための命令を含み、各非コンプライアントな装置は上記報告用モジュールを欠くシステム。
【請求項２３】
請求項１８に記載のシステムにおいて、上記特徴付ける命令は、さらに、予め定められた期間内に発生するトランザクションの量を決定するための命令を含むシステム。
【請求項２４】
請求項１８に記載のシステムにおいて、上記特徴付ける命令は、さらに、異なったタイプのトランザクションの量を決定するための命令を含み、上記トランザクションの上記タイプは、メディアコンテンツを再生し、データを蓄積し、蓄積されたデータへアクセスし、および、下流の装置へデータを送信することの少なくとも一つを含むシステム。
【請求項２５】
請求項１８に記載のシステムにおいて、上記プログラム命令は、さらに、異なった時間に得られた複数の独立した装置ドメインに属する情報から、ドメインの利用における傾向を識別するための命令を含むシステム。
【請求項２６】
請求項１９に記載のシステムにおいて、上記プログラム命令は、さらに、少なくとも一つのドメイン群パラメータの統計的尺度を開発するために、上記複数の独立した装置ドメインに属する上記情報を分析するための命令を含み、上記少なくとも一つのドメイン群パラメータは上記少なくとも一つの目標ドメインパラメータに対応しているシステム。
【請求項２７】
請求項２６に記載のシステムにおいて、上記特徴付ける命令は、さらに、上記ドメインに接続された受信装置の量と、上記ドメインから切り離された装置の量と、上記ドメインに接続された装置によって実行されるデータトランザクションの量とから選択されたタイプの複数の目標ドメインパラメータに基づいて、上記ドメイン状態を特徴付けるための命令を含むシステム。
【請求項２８】
請求項２７に記載のシステムにおいて、上記分析する命令は、さらに、ｎ次元の測定基準を含むドメイン・ベンチマークを決定するための命令を含み、ｎは１よりも大きく且つ独立したドメイン群パラメータの数と等しいシステム。
【請求項２９】
請求項２７に記載のシステムにおいて、上記分析する命令は、さらに、独立したドメイン群パラメータの重み付けされた合計を含むドメイン・ベンチマークを決定するための命令を含むシステム。
【請求項３０】
コンテンツプロバイダから受信された保護されたコンテンツを利用するための複数の連結された受信装置を含むシステムにおける、上記ドメイン内の装置によるコンテンツの利用を制御するための方法であって、
目標ドメインのドメイン状態と複数の独立した装置ドメインのドメイン状態の集合を表すドメイン・ベンチマークとの間の比較に基づいて、連結された受信装置を含む上記目標ドメインのための利用規則を選択するステップを含み、上記ドメイン状態は、（ａ）上記ドメインに接続された受信装置の量または（ｂ）上記ドメインに接続された装置によって実行されたデータトランザクションの量から選択された少なくとも一つの目標ドメインパラメータを含み、
上記目標ドメイン内の少なくとも一つの装置へ上記利用規則を提供するステップ、および、
上記利用規則にしたがって上記目標ドメイン内の装置によるコンテンツの利用を制御するステップを含む方法。
【請求項３１】
請求項３０に記載の方法において、上記選択するステップは、さらに、上記目標ドメインのためのリスク指標を開発するステップ、および上記リスク指標に基づいた利用規則を選択するステップを含む方法。
【請求項３２】
請求項３０に記載の方法において、上記選択するステップは、さらに、上記ドメインから切り離された装置のために許可された接続の数を保留するように上記利用規則を選択するステップを含む方法。
【請求項３３】
請求項３２に記載の方法において、上記選択するステップは、さらに、上記切り離された装置のために保留されるべき許可された接続の数に基づいて、上記ドメインのための残っている許可された接続の数を減少させるように上記利用規則を選択するステップを含む方法。
【請求項３４】
請求項３３に記載の方法において、さらに、切り離された装置のための第２の利用規則を選択するステップを含み、上記第２の利用規則は上記利用規則に関連付けられている方法。
【請求項３５】
請求項３４に記載の方法において、上記第２の利用規則を選択するステップは、上記切り離された装置がコンテンツを、上記ドメインから切り離された少なくとも１台の追加の装置に提供することを許可するステップを含む方法。
【発明の詳細な説明】
【技術分野】
【０００１】
関連する出願へのクロスリファレンス
この出願は、同時係属中の、２００４年１２月３日に提出された米国特許出願１１／００３，８６４の部分継続出願である。
【０００２】
本発明はデジタル著作権管理に関し、より詳しくは、外部利用データに適応可能である複数の装置ドメインにおけるデジタルコンテンツの利用を管理するシステムと方法に関する。
【背景技術】
【０００３】
ブロードバンドネットワークへのますます広範囲の消費者アクセスはデジタルコンテンツの配布における新しい問題を引き起こしている。一方では、デジタルコンテンツを消費者へのすべての利用目的に便利なように利用可能にすることは望ましい。例えば、ブロードバンドネットワーク対応の受信装置、一人のアカウント保有者に属するローカル・ネットワークへ切り離し・再接続可能な一つ若しくはそれ以上のモバイル装置、または伝統的に遭遇したのよりも非常に多数の接続された再生装置を備えたローカル・ネットワークへ、ストリーミングコンテンツを提供することが望ましい。消費者が娯楽および増加の一途をたどる種類の通信装置を購入し続けるので、そのような用途はますます重要になるかも知れない。
【０００４】
コンテンツプロバイダは、追加料金の支払いによって又は支払いなしで、デジタルコンテンツへの加入者のアクセスまたはその再配布をコントロールできるべきである。しかし、これは、ローカル加入者ネットワークとコンテンツの利用がより複雑で多様になっているので、ますます困難になっている。複雑な消費の環境中では、コンテンツプロバイダに有害な利用からコンテンツの合法な利用を見分けるのが困難である。例えば、ユーザの家庭内のセットトップボックスのような特定の「個人のドメイン」内、ユーザの家庭内、オフィスまたは自動車内の他の装置、およびユーザのドメイン内のポータブルの個人の装置など、複数の受信サイトにデジタルケーブル信号を提供するのが望ましい。そのような手配は、例えば、消費者に、消費者の家のいずれかの所望の部屋で、購入されたコンテンツを見ることを可能にしてもよい。また、様々な他の再配布のスキームが望ましいかもしれない。例えば、消費者の主たる家、休暇用の家、オフィス、自動車、彼個人の上であるかどうかにかかわらず、これらの場所がすべて特定の「個人ドメイン」に属する限り、ケーブル受信装置から同じ家族によって所有されたどの装置へも再配布を許可するのが望ましいかも知れない。そのような利用のすべて又はまたは幾つかを許可する一方、同時に、加入している家族または他の承認された個人ドメインの外側の非加入の消費者への再配布を有効に防ぐのが望ましいかも知れない。
【０００５】
コンテンツ著作権の保有者または限定受信方式の放送者が、単一のアカウント/アドレス/顧客に関連している単一の受信装置へコンテンツを見せる権利を与えることができる現システムは、存在する。さらに、これらのシステムは、或るアカウントへのレシーバの追加を許可し、レシーバの数によって課金してもよい。単一のアカウントへ複数のレシーバを組み合わせるようなシステムは、単一のアカウント/アドレス/顧客に２台またはそれ以上の消費者受信装置を関連させるデータベースプログラムを備えた事務管理部門コンピュータシステムを用いることにより現在実行されている。特定の送信のために動作状態になり得る受信装置の数を制限するデジタル送信コンテンツ保護システム（ＤＴＣＰ）のような他のシステムは、存在する。ＤＴＣＰは受信装置の数を或るとき６３までに制限する。そのような静止した数量的制限は、１、２、６３またはいかなる他の数であろうとも、本質的に任意であり、従って、過度に限定的であり、または十分に限定的でない、ということがあり得る。例えば、そのようなシステムは、広帯域可能なホームネットワークが、モバイルおよび携帯機器だけでなく、幾つかの場所を含む個人ドメインを作る十分な柔軟性を許さないかも知れない。同時に、他の加入者は、数量的制限を超えずに、加入しているドメインの外側の一つ又はそれ以上の承認されていない宛先へ保護されたコンテンツを容易に再配布し得る。
【発明の開示】
【発明が解決しようとする課題】
【０００６】
そこで、許容される個人ドメインの特徴付けのためのシステムおよび方法、ならびにそのドメイン内の複数の装置によるコンテンツのアクセスおよび利用に対する制御のより大きな柔軟性および精度を可能にする態様で、その個人ドメイン内の複数の装置への配布の制御を提供することは望ましい。そのシステムは、回避するのが難しい一方、問題になっているコンテンツの利用目的のために利用することが容易なままであるのが、さらに望ましい。その利用は、ユーザの承認されたドメイン内のモバイル、遠隔および／または切り離された装置、または装置のクラスタ（集団）による、許可可能な再配布および利用を含む。
【課題を解決するための手段】
【０００７】
本発明は、限定受信システム、デジタル著作権管理システムまたは他の同様のコンテンツ保護システムにおけるドメインサイズを管理するシステムおよび方法を提供する。ドメインは、個人、家族、世帯、親戚、「友達と家族」、特定のビジネス、または、ドメインサイズが寄与または決定のパラメータを構成している如何なる他の類縁グループ（affinity group）に属する装置で構成されていてもよい。ドメイン内の装置は、ローカルエリアネットワーク、ピアツーピア・ネットワークまたはそれらの他の如何なる接続または組合せを介して接続されていてもよい。さらに、装置は、同じ個人ドメインに属するホームネットワークやオフィス・ネットワークのように、局所的に接続されたサブネットワークのクラスタに分割されていてもよい。個人の携帯機器のように、装置または装置のクラスタは、ドメイン・ネットワークと周期的に切り離され、再接続されてもよい。
【０００８】
本発明によるシステムは、単一のアカウントに関連した装置または単一のトランザクションに関連した接続を単にカウントする概念を拡張する。その代りに、装置の類縁グループのより洗練されたモデルが、適用可能な類縁グループ、例えばホームネットワークデバイス、別荘の装置、個人の携帯機器、オフィスまたは自動車内の装置から、許容される行為をモデル化するために開発される。このモデルは、ドメイン内の複数の装置によってデジタルコンテンツへのアクセスを管理するためのドメインサイズのベンチマークとして働く。
【０００９】
ベンチマーク・ドメインのモデルは、例えば複数の独立したドメインから構成および／またはトランザクションデータを集めることにより開発されていてもよい。上記モデルは、目標ドメインのサイズを特徴付けるための装置カウント数またはトランザクションの数のようなパラメータを含んでいてもよい。また、上記モデルは、或る期間にわたって複数の独立したドメインから集められた情報を用いて、ドメインの利用の傾向または他の変化を計上するために調節されてもよい。一般的に、複数の独立したドメインから集められた情報は、装置の数またはトランザクションの数のような、ドメインを特徴付けるための一つ又はそれ以上のベンチマーク・パラメータの統計的尺度を抜き出すのに用いられる。
【００１０】
それから、目標ドメインのためのリスク指標が、ベンチマーク・モデルまたはパラメータと、目標ドメインから集められた対応するパラメータ・データとの比較に基づいて、開発され得る。このリスク指標は、ベンチマーク・モデルの一つ又はそれ以上のドメインパラメータの比較に基づいて、または幾つかのパラメータの重み付けされた組合せによって、決定されてもよい。上記リスク指標はまた、非コンプライアント（規則に非適合）な装置の数と比較して、ドメイン内のコンプライアント（規則に適合）な装置の数に依存して変わってもよい。コンプライアントな装置は対応するデジタル著作権管理システムにとって監視および管理するのがより簡単であるが、非コンプライアントな装置は、正確に管理することがより困難であり、完全にまたは主にコンプライアントな装置を含んだドメインは、より低いリスク指標を割り当てられてもよい。
【００１１】
それから、リスク指標は、目標ドメイン内のデータのための特定の利用規則を決定し、かつユーザによるコンテンツアクセスを管理するために用いられてもよい。一般的に、低いリスク指標を備えたドメインは、情報を利用し、配布し、かつ蓄えるより大きな自由を、許され得る。高いリスク指標を備えたドメインは、より大きな制限を受けてもよい。
【００１２】
本発明の一実施形態では、消費者行動上の統計データが、個人ドメイン内のコンテンツのアクセス、利用および再配布を制御するためのモデルを構築するのに用いられてもよい。分析される行動は、例えば、人々が新しい家庭用電化製品を典型的に買う率、人々が新しいコンピューター製品を典型的に買う率、人々が新しい電話製品を典型的に買う率、人々がそのような製品を独占的に所有し制御する期間、人々がネットワーク化された装置または装置のクラスタに典型的に接続し及び切り離す率、視聴覚ネットワーク上の装置のリソース要求、またはドメインサイズ若しくは利用の他のいかなる尺度を含んでいても良い。モデルのデータは、装置またはドメインレベルで適用され得る利用規則に相互に関連するように設計されていてもよい。ベンチマーク・ドメインの統計的モデルが時間にわたって発展するにつれて、これらの利用規則が更新されてもよい。
【００１３】
例えば、本システムは、ドメイン内に接続されている受信装置の数、またはドメイン内に接続されている装置によって行なわれるデータトランザクションの数のような、少なくとも一つのドメインパラメータに基づいて、目標ドメインを特徴付けてもよい。これらのデータトランザクションは、例えば、メディアコンテンツを要求すること、メディアコンテンツを再生すること、データを蓄積すること、蓄積されたデータをアクセスすること、およびデータを下流の装置へ送信することを含んでいてもよい。
【００１４】
それに代えて、またはさらに、サイズ・パラメータは、装置カウント数と組み合わされたトランザクションの数、複数のタイプのトランザクションの重み付けされた組合せ、時間にわたる複数のタイプのトランザクションの重み付けされた組合せ、ネットワークの処理パワー、通信キャパシティまたは構成のような、他の測定基準を用いて測定されてもよい。
【００１５】
それから、本システムは、上記目標ドメインのためのリスク指標を開発するために、目標ドメインの状態を特徴付けるためのパラメータをベンチマーク・ドメインのパラメータと比較する。それから、目標ドメイン内の装置のための特定の利用規則を開発するために、このリスク指標は規則形成アルゴリズムへの入力として用いられる。装置または装置のクラスタがドメインへ接続され、ドメインから切り離されるにつれて、利用規則が修正されてもよい。例えば、利用規則、ネットワークから切り離される装置または装置のクラスタに或る幾つかのアクセススロット(つまり、切り離された装置からコンテンツを受信し得る追加の装置)を割り当てるために開発されてもよい。それから、切り離された装置に割り当てられたスロットは、ホームネットワークとともに残っている許容可能なスロットから差し引かれてもよい。或る場合には、接続と切り離しのイベントが、ドメインのリスク指標の変化を引き起こすかも知れない。例えば、装置による異なったドメインへの多数の切り離しおよび再接続が、リスク指標を増加させることを正当化するであろう脅迫的な利用のパターンと考えられてもよい。さらに、ドメインサイズに基づいた利用規則を適用するときに、ドメインサイズの変化は当然計上されるべきである。
【００１６】
例えば、デジタル著作権管理システムは、幾つかの独立した世帯ドメイン内の装置の数に関してそれらのドメインからインターネットのようなネットワークを介してデータを集めて、典型的な世帯ドメイン内の装置の数のためのベンチマーク・パラメータを決定するためにこのデータを分析してもよい。それから、ベンチマークは、目標ドメインのためのリスク指標および特定の利用規則を開発するために、目標の世帯ドメインからのドメインサイズ情報と比較され得る。この方法を用いて、本システムは、ドメイン内のどれだけの装置がコンテンツをアクセスできたかというような、目標ドメインのリスク指標に基づいて、その目標ドメインに特別あつらえの利用規則を提供することができるだろう。
【発明を実施するための最良の形態】
【００１７】
好ましい実施形態の次の詳細な記載の考察によって、ドメインサイズの特徴付けおよび管理のための方法およびシステムについてのより十分な理解は、それの追加の利点および目的の実現とともに、当業者に与えられるだろう。
【００１８】
添付された図面について、最初に簡潔に記述する。図１は、目標ドメインのためのリスク指標を決定するための典型的なステップを示すフローチャートである。図２は、ドメイン内の装置が接続され切り離されるにつれて、そのドメインのための利用権を更新するための典型的なステップを示すフローチャートである。図３は、目標ドメインサイズの評価に基づいて、目標ドメインのためのリスク指標を生成するための典型的なシステムを示すブロック図である。
【００１９】
本発明はシステム、および先行技術の制限を克服するドメインのサイズを決定し且つ管理する方法を提供する。立ち代わって、ドメインサイズ・パラメータは、アカウント保有者または加入者(つまりドメイン)に関連した装置の収集のためのコンテンツ利用権を決定するために用いられてもよい。
【００２０】
上記方法とシステムは、様々な独立したドメインの実用に関する利用可能な統計データの組合せを使用する。それらのドメインは、例えば、別荘の装置、オフィスの装置、自動車の装置、個人の携帯機器のような、他の個人的な装置に関連したホームネットワークである。複数の既存の独立したドメインから集められたデータは、ドメインの利用の集合のモデルを生成するために用いられてもよい。立ち代わって、そのモデルは比較可能な類縁グループを管理するための規則の生成のためのベンチマークとして用いられてもよい。既存のネットワークに関する統計データは、与えられたタイプのドメイン内の装置の数、およびそのドメインへ接続しそのドメインから切り離される装置の行動に、消費者期待のベンチマーク表示を供給すべきである。そのようなベンチマークを与えられて、上記システムは、柔軟かつ適度にデジタルコンテンツを受信することを承認されるべき、ドメイン内の受信装置の数を制御してもよい。さらに、コンテンツの利用は、一つの装置または複数の装置がネットワーク化されたドメインから切り離され、「放浪する（wandering）」装置またはクラスタになるのに伴って、制御されてもよい。例えば、各放浪する装置は、放浪するときに、そのタイプの装置のためのモデル化された行動に依存して、全体として許可された幾つかの装置接続を割り当てられてもよい。
【００２１】
図１、２および３は、権利管理システムを用いた本発明の例を図示する。このシステムは、どのような所望の程度で中央に集められても、分散されてもよい。例えば、本発明の幾つかの局面は、プロバイダにより供給されたコントローラ、例えば下流の装置へのコンテンツの配布を制御するセットトップ装置に含まれたコントローラを用いて、実行され得る。それに代えて、本発明は、個人ドメイン内で複数の装置に具体化された分散型の権利管理システムを用いて実現され得る。当技術分野で知られているように、システムコミュニケーションは、いかなる適切な暗号の方法を用いることによっても、安全になり得る。
【００２２】
図１は、目標ドメインのドメインサイズを決定し、目標ドメインにリスク指標を適用し、予め定められたビジネスルールに基づいて、上記ドメインのための特定の利用規則を開発する方法１００の典型的なステップを示す。ステップ１０２で、デジタル著作権管理（ＤＲＭ）システム・コントローラは、ユーザのネットワーク内の主たる受信装置へ質問を送って、目標ドメイン内で現在接続されている装置の数のようなドメインサイズに関する情報を要求する。上記主たる受信装置は、上記ＤＲＭシステムに現在接続されている目標ドメイン内の装置のうちのいずれの一つであってもよい。それに代えて、上記質問は、上記ドメイン内の複数の装置へ送られてもよい。それらの装置は、独立してまたは統合された態様のいずれかで応答する。
【００２３】
適切なＤＲＭシステムは、例えば有料テレビジョン放送の限定受信システムのコンテンツへのアクセスを保護し管理することができる当技術分野で既知のいずれのコンテンツ管理システムであっても良い。さらに、又はそれに代えて、上記ＤＲＭシステムは、デジタルコンテンツを再生し、データを蓄積し、若しくはデータを下流へ送信するような上記ドメイン内で実行されたトランザクションの数、上記ドメインから切り離された装置の数、上記ドメイン内の装置の組み合わされた処理パワー、装置の通信キャパシティ、または通信ネットワークの構成に関する情報を要求してもよい。ＤＲＭシステムは、幾つかのパラメータを用いて上記目標ドメインの状態を特徴付けるために、上記ドメインに現在接続されている装置の数を要求するのに加えて、これらの代替のパラメータの一つ又はそれ以上を要求してもよい。それに代えて、ドメインサイズ情報は上記ドメイン内の複数の装置から尋ねられてもよい。
【００２４】
さらに、上記ＤＲＭシステムは、「非コンプライアント」な装置の数と比較して、「コンプライアント」な装置の数に関する情報を要求してもよい。コンプライアントな装置は、予め定められたプロトコルまたはＤＲＭシステムにしたがって装置状態を報告できる報告用モジュールを含んでいてもよい。非コンプライアントな装置は、上記ＤＲＭシステムと互換性をもつ報告用モジュールを欠き、このため、それら実行するトランザクションの報告をすることができない。本発明の一実施形態では、一つ又はそれ以上の非コンプライアントな装置を含むドメインは、完全にコンプライアントな装置で構成されたドメインよりも高いリスク要因を割り当てられる。したがって、コンプライアントな装置を備えたドメインはそれほど限定的でない規則に従ってもよい。例えば、コンプライアントな装置の報告能力を用いて利用パターンを追跡することが可能であるので、(脅迫的なやり方で用いられない限り)ドメイン内のコンプライアントな装置の数に対する制限を非常に高く置くか無しにすることが可能である。コンプライアントな装置はより少ない制限に従うので、消費者は、ドメインへ装置を加えるときにコンプライアントな装置を購入するように促されるかも知れない。
【００２５】
ドメイン内の非コンプライアントな装置の存在がより限定的なコンテンツ保護規則の適用に帰着する程度は、コンプライアントな装置が採用された度合いにとりわけ依存するかも知れない。本発明によるＤＲＭシステムがより広範囲になり、コンプライアントな装置が広く採用される時まで、非コンプライアントな装置の利用に対するより寛容な制限を置くことが可能であるかも知れない。非コンプライアントな装置が旧式になり、徐々にコンプライアントな装置と取り替えられるのにつれて、それにしたがってドメイン利用規則は調節され得る。先の例は、データが時間にわたってサンプリングされるにつれて変わるドメインモデルの利用を示している。
【００２６】
それに代えて、外部コントローラからの質問を表さないで、ステップ１０３で情報が得られてもよい。例えば、ドメイン内の一つ又はそれ以上の装置が周期的な間隔で上流のコントローラへ自動的に情報を送るように構成されてもよい。どちらにしても、ステップ１０４で、目標ドメインを特徴付けるためにＤＲＭシステムによって要求された情報は、上記システムのコントローラによって集められる。一般に、ドメイン・データが最新にしておかれることを保証するために、ステップ１０４は、ＤＲＭコントローラによって要求される時々に、周期的な間隔で行なわれてもよく、または、ドメインサイズの変化（例えば装置の接続または再接続）があり次第、行なわれてもよい。
【００２７】
上記ＤＲＭシステムのために必要とされる情報を集めるために、様々な評価ツールがドメイン内に適用されてもよい。これらのツールは、例えば、ユーザのドメインへネットワーク化された能動装置の数を決定するための装置カウントツール、活発な個人ドメインからの装置の追加および引き出しを決定またはコンプライアントな装置対非コンプライアントな装置の識別が可能なドメイン管理ツール、および、ドメイン内のトランザクションの数、ドメイン内の装置の組み合わされた処理パワー、装置の通信キャパシティ、または通信ネットワークの構成を測定するためのツールを含んでいてもよい。そのようなツールは、個人ドメイン内のハードウェアまたはソフトウェアのいずれの適切な組合せで実現され得る。例えば能動装置カウンタのような当技術分野で知られているツール、または開発され得るツールを含んでいてもよい。
【００２８】
ステップ１０６で、上記受信装置はこのデータをＤＲＭシステムへ送信する。データは、ネットワーク、例えばインターネット、ケーブルまたは衛星ネットワークを介して、暗号化されたメッセージにデータを含むような、如何なる適切な方法も用いて送信されてもよい。それに代えて、データは、ダイアルアップの電話回線または衛星リンクのような私設通信回線に関して提供されてもよい。
【００２９】
ステップ１０２−１０６と同時に又はそれに先立って、ＤＲＭシステムは、複数の独立したドメインからドメインサイズに関する情報を集める。ステップ１０８で、ＤＲＭシステムは、複数の独立したドメインからドメインサイズに関する同じ情報を集めるために、１０２−１０６におけるような同じステップに従ってもよい。さらに、又はそれに代えて、データは当技術分野で既知の他の方法を用いて集められてもよい。例えば、調査方法とデータが含まれていてもよい。他のそのようなデータは、例えば、（１）人々が新しい家庭用電化製品を典型的に買う率、（２）人々が新しいコンピューター製品を典型的には買う率、（３）人々が新しい電話製品を典型的に買う率、（４）人々がそのような製品を独占的に所有し制御する期間、（５）人々がネットワーク化された装置に典型的に接続し及び切り離す率、（６）視聴覚ネットワーク上の装置のリソース要求、および（７）異なったドメイン構成に関連した著作権侵害または他の不正利用の発生、を含んでいてもよい。そのようなデータは、装置の類縁グループ、つまりドメインのより精巧なモデルを生成するために、複数の既存のドメインから集められたデータを増大してもよいし補足してもよい。しかしながら、ステップ１０８で集められたデータが、ＤＲＭシステムに接続されたドメインをベンチマークテストするのに用いられるので、目標ドメインから利用可能であるのと同じ種類のデータを集めることも有用に違いない。
【００３０】
ステップ１１０で、ＤＲＭシステムは、利用規則を生成するため及び目標ドメイン特徴付けと比較するためのベンチマーク・ドメインを生成するために、ステップ１０８で集められた情報をコンパイルする。ベンチマーク・ドメインのモデルは、独立した装置ドメインのドメイン状態の集合を代表してもよく、また、特定の目標ドメインのための非承認のデータ利用のリスクを評価するように設計されるべきである。本発明の一実施形態では、統計ツールは、目標ドメインから要請されるべきドメインパラメータに関連したリスクを定義するために用いられる。一つ又はそれ以上のパラメータがドメインのクラスまたはタイプを定義するために用いられてもよい。また、異なった規則またはリスク指標が異なったタイプのドメインに適用されてもよい。例えば、ベンチマークデータは、家族、世帯、親戚、「友達と家族」、ビジネス、ドメインのサイズがデジタルコンテンツへのアクセス及びその利用を管理する重要な要因である他のドメインのような様々なタイプのドメインを管理するための規則の生成を案内するために用いられてもよい。
【００３１】
ベンチマーク・ドメインのモデルは、単一の次元のパラメータ、例えば各目標ドメイン内で接続されている装置の数と同じくらい単純であっても良い。この単一のパラメータは、いかなる有用な統計手段、例えば平均または標準偏差を決定するためにも、サンプリング集合にわたって分析され得る。目標ドメインは、望まれたならば、地理的な場所、郵便番号、および各分類のために計算されたベンチマークのような定量化不可能な基準にしたがって分類されてもよい。各特定のドメインは、そのドメインの分類のために上記ベンチマークと比較されてもよい。例えば、第１の郵便番号に配置されたドメインは、３を超え６未満の接続されている装置を含んでいれば、「中間リスク」と考えられてもよい一方、第２の郵便番号に配置されたドメインは、より高いかより低いベンチマークと比較されてもよい。
【００３２】
しかしながら、多次元のモデル、つまり「ｎ」が１より大きいときのｎ次元のモデルは、無害な利用を可能にしながら、保護されたコンテンツの有害な利用を防ぐことにおいてより高い正確さおよび精度を与えるべきである。そのようなモデルを構築するために、多数の定量化できるパラメータが集められ分析される。ドメイン内で接続されている装置の数に加えて、例えば、ドメイン内で実行された様々なタイプのトランザクション(例えば、見ること、蓄積すること、送信すること)の数、アカウントで含まれた家族の数、そのドメイン内の装置が属したことがある異なったドメインの数などのパラメータが、含まれていてもよい。各パラメータは、統計ツール、および様々な定量化可能および定量化不可能なパラメータの間で測定された関連のものを用いて分析されてもよい。例えば、異なった基準と、コンテンツの非承認または有害な利用の既知のイベントとの間で、相関係数が測定されてもよい。これらは、特定のドメインが非承認の方法で用いられる可能性を予言するために用いられてもよい。複数のパラメータにわたって追加のデータが集められるにつれて、そのような予測の正確さは増加するに違いない。様々な統計的モデル化予測技術が当技術分野で知られている。いかなる適切な方法が用いられてもよい。
【００３３】
ステップ１１２で、ＤＲＭシステム内のコントローラは、目標ドメインからの情報を、その目標ドメインのためのリスク指標を開発するために、ステップ１１０で生成されたドメイン・ベンチマークと比較する。上記リスク指標は、ステップ１０２−１０６でＤＲＭシステムによってどんな情報が集められたかに依存して、単一のドメイン状態パラメータ、または多数のドメイン状態パラメータの比較に基づいて、生成され得る。例えば、上記リスク指標は、受信装置の量、ドメインに接続された装置によって実行されたデータトランザクションの量、または目標ドメインを対応するベンチマーク・ドメインパラメータへ特徴付けるためにＤＲＭシステムによって用いられる様々な評価パラメータのいずれかの組合せの比較に基づいて決定されてもよい。さらなる例のために、上記リスク指標は、非コンプライアントな装置の数と比較して、コンプライアントな装置の数によって影響されてもよい。例えば、目標ドメインの装置の合計数がベンチマーク・ドメインによれば許容されたとしても、目標ドメインがベンチマーク・ドメインによって提案された非コンプライアントな装置の数よりも高い数を持っているならば、その目標ドメインは、ＤＲＭシステムが非コンプライアントな装置の利用を監視かつ管理する能力が少ないせいで、より高いリスク指標を与えられるかも知れない。
【００３４】
リスク指標は、特定の目標ドメインに関連した相対的なリスクのいかなる有用な評価をも包含するものとして理解されるべきである。それは、数値または評価プロセスの他の明確な出力によって必ずしも表される必要はない。その代りに、明確なリスク指標が中間のステップとして生成されても生成されなくても、ドメインサイズの評価に基づいたドメインへのコンテンツ保護規則の適用（一般的な意味で）は、本発明の範囲内であると考えられるべきである。
【００３５】
ステップ１１４で、上記コントローラは、上記目標ドメインのためのリスク指標を、上記目標ドメイン内の装置を集めることによって、デジタルコンテンツの利用のための特定の規則を開発するか又は適用するために用いる。これらのコンテンツ利用規則は、配布されるコンテンツのためのビジネスモデルに基づいて、コンテンツプロバイダによって供給されてもよい。すなわち、規則は異なったコンテンツのために異なってもよい。一般的に、目標ドメインのリスク指標を考慮に入れながら、利用規則は、所望の程度に、ベンチマーク・モデルのためのサンプル集合を越えて消費者行動のモデルに従うべきである。例えば、利用規則は、材料にアクセスすることを許可された装置の数に対する制限を含んでいてもよい。さらに、利用規則は様々な他の行為（action）、例えば、各ネットワーク化された家庭装置が追加されるのを許可された装置の数、材料にアクセスすることを許可された、切り離され若しくは放浪する装置の数、または各放浪する装置が接続し得る予め定められた保留された装置の数を制限してもよい。利用規則は、放浪する装置がネットワークに接続され及びネットワークから切り離されるのに伴って、装置接続の割り当てられた数を解放するか又は保存しながら、修正されてもよい。
【００３６】
利用規則のより洗練され反応の良いセットは、ユーザに対して、彼の個人ドメイン内で承認された装置の割り当てを管理することにおいて適切な柔軟性を提供するべきである。
同時に、コンテンツプロバイダは、非承認のアクセスまたは再配布が全体として有効に制御されているという高度の信頼を維持すべきである。利用規則は、これらの競合する目的を平衡させるように設計されるべきである。また、本発明は特定の利用規則に制限されていない。当業者は、状況に依存して、適切な利用規則を選択しかつ適用することができるに違いない。利用規則は、送信されたコンテンツに伴い、ドメイン内のコンプライアントな装置による応用のために構成されてもよい。非コンプライアントな装置に対する制御は、当技術分野で知られているように、上流のコンプライアントな装置を用いて達成されてもよい。
【００３７】
図２は、装置が目標ドメインへ接続され及び切り離されるのに伴って、利用規則を更新するとともに、目標ドメインのアクセスを管理する方法２００の典型的なステップを示す。これまでの方法１００で述べられたような、目標ドメインのためのリスク指標および利用の規則の決定のために目標ドメインを特徴付ける先のプロセスが終わった後、方法２００は始まる。ステップ２０２で、ＤＲＭシステムは目標ドメインを特徴付けて、その特徴付けにしたがって上記目標ドメインのために特定の利用規則を割り当てる。最初に、上記目標ドメインは幾つかの局所的にネットワーク化された装置から成っていてもよい。しかしながら、ステップ２０４では、一つ又はそれ以上のそれらの装置は、局所的にネットワーク化されたドメインから切り離されてもよい。上記切り離される装置は、単一の携帯可能な個人の装置であってもよく、あるいは、それは、主なドメイン・ネットワークから一時的または永久に切り離される装置のクラスタを含んでいてもよい。上記切り離される装置またはクラスタがステップ２０４でネットワークから切り離される時に、承認された追加の装置または承認されたトランザクションを表す幾つかの「スロット（slot）」が、上記切り離される装置またはクラスタに割り当てられてもよい。主なネットワーク化されたドメイン内の残っている装置および上記切り離された放浪する装置のためのスロットは、中央コントローラによって更新されてもよい。上記放浪する装置は、その装置に、予め定められた数の保留されたスロットを取ってもよい。その装置は、その保留されたスロットを、その保留された数まで、追加の装置に接続するために用いてもよい。それゆえ、上記放浪するクラスタにおける上記追加の装置はデジタルコンテンツにアクセスして用いることができる。
【００３８】
上記保留されたスロットの数は、システム全体および特定のタイプの放浪する装置に適用される利用規則に依存して、各放浪する装置について異なっていてもよい。例えば、個人の携帯機器は０または１つの追加のスロットを許可されるかもしれないが、放浪するパーソナルコンピュータまたはセットトップボックスは幾つかの追加のスロットを許可されるかもしれない。このことは、例えば、ユーザが、別荘、オフィスまたは他の場所で、接続されている装置のクラスタを用いることを許可するために望ましいかもしれない。さらに、ユーザは、ＤＲＭシステムによって確立されたデフォルトの割り当てを覆して、上記放浪する装置のための保留されたスロットの異なった数を特定することができる。しかしながら、この場合、ユーザは、ＤＲＭシステムによって決定された通りの、上記ドメインのための利用上の制限の全体まで変えることは許可されるべきでなく、したがって、上記残っているネットワーク化された装置のために利用可能なスロットの数は調整されるべきである。もし、一つ又はそれ以上の装置が主な目標ドメインから切り離されるならば、ユーザは、幾つかの放浪する装置の中で保留されたスロットを割り当てるための優先順位を確立できてもよい。
【００３９】
ステップ２０６で、上記利用規則は、主なドメイン内でいずれの放浪する装置またはクラスタにも施行される。利用規則は、上記ドメイン内のコンプライアントな装置による応用のために構成されてもよい。例えば、放浪する装置は、そうすることがその装置のスロットの割り当てを越えるならば、下流装置にコンテンツを配布しないように構成されてもよい。利用規則は、ドメインが構成されるか次に修正される時に、決定されてもよい。それに代えて、またはさらに、利用規則は、送信されたコンテンツに伴って、上記ドメイン内のコンプライアントな装置による応用のために構成されてもよい。非コンプライアントな装置に対する制御は、当技術分野で知られているような上流のコンプライアントな装置を用いて達成されてもよい。例えば、ドメインのための主たる受信装置は、ドメイン内の装置による変化する利用の管理を維持してもよい。施行の機能も、上記ドメインの上流に押し進められてもよい。例えば、上流のソースは、一定のリスク指標を越えるドメインへ、特定のコンテンツまたは解読キーを送信することを拒絶してもよい。下流のコンプライアントな装置も用いられてもよい。例えば、コンプライアントな装置は、その装置がそうすることを承認されていないということを決定したならば、コンテンツを再生することを拒絶してもよい。上流および下流の制御の組合せも用いられてもよい。
【００４０】
さらに、各放浪する装置のために割り当てられたスロットの数は、脅迫的な利用パターンの存在または非存在に依存して、変わってもよい。例えば、脅迫的な利用が認められるときに、スロットの数は縮小されてもよい。脅迫的な利用は、ドメインパラメータがドメイン・ベンチマークによって定義されたしきい値を超えるときに、認められてもよい。
例えば、ドメイン内でのメンバー資格を取得し及び手放す高い頻度、異なったドメインにおけるメンバー資格の長い履歴、または特定のドメインにおいてメンバー資格で入会、退会を繰り返すことのような、観測された挙動は、脅迫的な利用を合図するかもしれない。ドメインサイズ以外の要因も考慮に入れられてもよい。例えば、特定の地理的な領域内の装置の位置、または或る装置の別の装置に対する相対的な位置は、考慮されてもよい。他の要因は、例えば、ネットワーク内での脅迫的なセキュリティ違反の記録としてマークされた特定のユーザまたはアカウントとの装置の関連性、あるいは、装置の場所のような他の義務へのコンプライアンスの確実性若しくは単一のユーザまたは家族との関連性、あるいは、事務管理部門セキュリティコントロールシステムへの接続を含んでいてもよい。
【００４１】
ステップ２０８では、一つ又はそれ以上の以前に切り離された装置または装置のクラスタが上記ネットワークへ再接続される。再接続の際に、その装置は、それが以前に引き出した保留されたスロットを戻す。目標ドメインの主なネットワーク内の装置のうちの一つは、そのドメイン内の他の装置へ切り離された装置の復帰を報告する。それに代えて、またはさらに、ＤＲＭシステムのために外部コントローラへ報告がなされてもよい。戻されたスロットは、再びドメイン全体によって自由に利用され得る。もし放浪する装置またはクラスタが一定期間の後にそのホーム・ドメインへ再接続されないならば、それは永久に切り離されたと仮定されても良い。そのような場合、スロットのその装置への割り当ては他の装置による利用のために回復されてもよい。同時に、上記切り離された装置またはクラスタは、保護されたコンテンツのさらなる利用から不可能にされ得る。永久に切り離された装置がドメインへ再接続することを試みる場合、追加の接続スロットが利用可能な場合にのみ、そうすることが許可されてもよい。
【００４２】
発生し得る別の状況は、放浪する装置またはクラスタの異なった家庭ドメインへの接続である。この状況の取り扱いは、保護されたコンテンツのための基本ドメインモデルおよび経営目標を含む様々なパラメータに依存してもよい。別のドメインからの装置またはクラスタの装置への物理的接続が、その他のドメインでのメンバー資格またはメンバー資格の要求を構成しない、ということが注目されるべきである。一定の利用行為が、同じドメインのメンバーでなくても、互いに物理的に接続された装置のために承認されてもよい。それゆえ、一つを越えるドメインへの接続が、一つを越えるドメインでのメンバー資格が制限されている場所で、許可されてもよい。また、ドメインは、訪問するコンプライアントな装置のための幾つかの一時的スロットを含んでいてもよい。そのドメインのメンバーでない装置のために、そうでなければ却下されるかもしれない利用を可能にするためである。一般的に、放浪する装置またはクラスタを特徴付けることにおける利用の基本は、脅迫的な利用パターンを、許容可能であると考えられるパターンからよく見分けるために開発および適用され得る。
【００４３】
図３は、複数の受信装置３０２−３０９を含んでいるドメイン３０１によるデジタルコンテンツのアクセスおよび利用を特徴付け且つ管理するためのシステム３００の実施形態を示すブロック図である。デジタル著作権管理システム３１０およびコントローラ３１１はソース装置３１２に含まれていてもよい。別の実施形態では、又はそれに加えて、ＤＲＭシステムおよびコントローラの要素は、目標ドメイン内の様々な受信装置中に分配されてもよい。
【００４４】
システム３００内でソース装置３１２内に配置されたＤＲＭシステム３１０は、ネットワーク３１３を介して複数の独立したドメイン３１４−３１６および目標ドメイン３０１に接続されている。これらのドメインのうちのいずれの一つも、ソース３１２からデジタルコンテンツを要請してもよい。ネットワーク３１３は、デジタル情報を送信するために適切な一つまたは複数のネットワーク、例えばインターネット、デジタル衛星テレビジョンリンク、または他の配線された若しくはワイヤレスのネットワークを含んでいてもよい。それに代えて、またはさらに、ＤＲＭシステムをドメインに結び付けるネットワークは、ダイアルアップの電話回線または衛星リンクのような私設通信回線を含んでもよい。
目標ドメイン３０１のようなドメイン内で、複数の受信および再生装置３０２−３０７が、家庭内ネットワーク、ローカルエリアネットワークまたは広域ネットワークのようなローカル・ネットワーク３１７を介して、または直接接続によって、接続されていてもよい。さらに、一つ又はそれ以上の放浪する装置３０８−３０９が、周期的にローカル・ネットワーク３１７に接続され、それから切り離されてもよい。いかなる数の放浪する装置も、放浪するクラスタを含むように、接続３１９を介するような態様で接続されてもよい。
また、放浪する装置またはクラスタは、目標ドメイン３０１以外の異なったドメインへ接続され、またはそれから切り離されてもよい。
【００４５】
ＤＲＭシステム３１０は、ネットワーク３１３を通して、ドメイン３０１および３１４−３１６のサイズおよび行動を特徴付けるデータを得るように構成されている。受信装置３０４のような、各ドメイン内の１台以上の受信装置が、ＤＲＭシステム３１０内のコントローラ３１１へ、ドメイン特徴付けデータを集めて送信するように構成されてもよい。この情報は、いかなる適切な方法をも用いて、ネットワーク３１３を通して送信されてもよい。例えば、データを暗号化しインターネットのような開いたネットワークを通して送信することによって、または安全なチャネルを用いることによって、送信されてもよい。
【００４６】
コントローラ３１１は、複数の独立したドメイン３１４−３１６および目標ドメイン３０１の両方から、ドメインサイズデータを受け入れてもよい。上記ＤＲＭシステムは、目標ドメインと比較するためのベンチマーク・ドメインのモデルを開発するために、独立したドメイン３１４−３１６からの情報を用い得るコントローラ３１１のメモリにプログラム命令を備えている。また、このベンチマーク・ドメインも、ドメイン状態パラメータに関する統計データから開発されてもよい。さらに、コントローラ３１１は、これらのパラメータに関する傾向を反映するようにベンチマークを適応させるために、異なった時間に得られたこのデータを追跡してもよい。
【００４７】
また、上記コントローラも、目標ドメインのためのリスク指標を開発するために、ベンチマーク・モデルを、目標ドメイン３０１から得られたパラメータ・データと比較するように構成されてもよい。上記リスク指標は、ドメイン内の装置の数のような単一のパラメータから決定されてもよい。それに代えて、装置の数およびそれらの装置によって実行されるトランザクションの数のような複数のパラメータ、または複数のパラメータの重み付けされた組合せが、以前に記述されたようなリスク指標を開発するために用いられてもよい。それから、このリスク指標は、以前に記述されたように、目標ドメイン３０１のための特定の利用規則を開発するために、コンテンツプロバイダによって提供されるビジネスルールと組み合わされて、ＤＲＭシステム３１０によって用いられてもよい。
【００４８】
目標ドメインのサイズを評価し、そのドメインによるコンテンツの利用を管理する方法およびシステムの好ましい実施形態について以上のように記述されて、当技術分野の当業者には、システム内で一定の利点が達成されたことが明白であるべきである。
【００４９】
また、本発明の範囲および精神内で様々な修正、応用および変形の実施形態がなされてもよいことが認識されるべきである。例えば、ある制御パラメータを備えたシステムは図示された。しかし、上述の発明概念が、目標ドメインのサイズに関する制御パラメータの如何なる数の論理的かつ重み付けされた組合せにも等しく適用可能である、ということは明白であるべきである。さらに、本発明は、特定のタイプのデジタルコンテンツに制限されておらず、テレビジョン、音楽プレーヤ、汎用の計算装置、携帯電話のような通信装置、携帯情報端末および他の同様の装置を含む様々なタイプの受信装置へのコンテンツの配布に用いられてもよい。本発明は特許請求の範囲によって確定される。
【図面の簡単な説明】
【００５０】
【図１】目標ドメインのためのリスク指標を決定するための典型的なステップを示すフローチャートである。
【図２】ドメイン内の装置が接続され切り離されるにつれて、そのドメインのための利用権を更新するための典型的なステップを示すフローチャートである。
【図３】目標ドメインサイズの評価に基づいて、目標ドメインのためのリスク指標を生成するための典型的なシステムを示すブロック図である。
【図１】
2008530637.tif 000003
【図２】
2008530637.tif 000004
【図３】
2008530637.tif 000005